【事件の表示】
　特許第３３９７２４０号「スタータ」の請求項１ないし４に係る特許に対する特許異議の申立てについて、次のとおり決定する。
【結　論】
　訂正を認める。
　特許第３３９７２４０号の請求項１ないし３に係る特許を維持する。
【理　由】
【１】手続の経緯
　本件特許３３９７２０号の請求項１ないし４に係る発明についての出願は、平成１１年１１月１１日になされ、平成１５年２月１４日にその特許の設定登録がなされた。これに対し、香山俊雄より特許異議の申立てがあり、取消理由が通知され、その指定期間内である平成１６年５月２８日付けで訂正請求書（及び特許異議意見書）が提出されたものである。
　
【２】特許異議申立ての理由の概要
　特許異議申立人は、下記甲第１ないし３号証を証拠として提出し、本件請求項１ないし４に係る発明は、甲第１ないし３号証の記載に基づいて当業者が容易に発明し得るものであり、特許法第２９条第２項の規定により特許を受けることができない。したがって、本件請求項１ないし４に係る発明の特許は、特許法第１１３条１項２号の規定により取り消すべきものである旨主張している。
（証拠方法）
甲第１号証；実公平　５−２８３８２号公報
甲第２号証；実公平　５−　８７８８号公報
甲第３号証；特開平１１−　４５７０号公報
　
【３】取消理由の概要
　当審が通知した取消理由の概要は、特許異議申立人の提出した特許異議申立書の記載を引用し、本件特許の請求項１ないし４に係る発明は、前記甲第１ないし３号証に記載された発明に基づいて当業者が容易に発明をすることができたものであるから、特許法第２９条第２項の規定により特許を受けることができない、というものである。
　
【４】訂正の適否について
（１）上記平成１６年５月２８日付けでした訂正請求による訂正（以下、本件訂正という。）の内容は以下のとおりである。
　
（１−１）訂正事項（訂正の要旨）
ａ.特許請求の範囲の請求項１を登録時の請求項１に請求項２を追加したものとする。
ｂ.特許請求の範囲の請求項２を登録時の請求項３とする。
ｃ.特許請求の範囲の請求項３を登録時の請求項４とする。
　上記請求項の変更に伴い、特許請求の範囲の記載と発明の詳細な説明の記載との整合を図るため、明りょうでない記載の釈明を目的として、特許第３３９７２４０号の明細書の０００５段落および０００６段落を訂正する。
　
（１−２）訂正明細書の特許請求の範囲の記載
　上記訂正請求に係る（訂正）明細書の特許請求の範囲の記載は以下のとおりである。
【請求項１】　通電を受けて回転力を発生する始動モータ（２）、この始動モータの回転力が伝達される出力軸（３）、この出力軸上を移動可能に設けられたピニオンギヤ（４）、前記出力軸の回転を前記ピニオンギヤに伝達する一方向クラッチ（５）、前記始動モータの通電回路に介在された内部接点を開閉するマグネットスイッチ（６）により構成されるスタータにおいて、
　内周面に複数の永久磁石が固設されたヨーク（７）と、
　このヨークに取り付けられ、前記ヨークの内側から外側へ取り出すリード線（３３）を挿通して、このリード線を前記ヨークから絶縁保持するグロメット（３０）と、
　前記永久磁石の内周で回転自在に支持されたアーマチャ（１２）と、
　このアーマチャに設けられた整流子面に摺接するブラシ（１３）と、
　このブラシを保持するブラシホルダ（１５）とを備え、
　前記グロメット（３０）が前記ブラシホルダ（１５）に固定され、
　前記グロメット（３０）は、前記ヨーク（７）の開口端部に設けられた切り欠き部（７ａ）に嵌合する嵌合溝（３０ｂ）が設けられ、前記グロメットを介して前記ヨークと前記ブラシホルダとの周方向位置決めが行われていると共に、
　前記グロメットは、ゴム製で、前記ヨークと前記ブラシホルダに対し、それぞれ圧入状態で固定されていることを特徴とするスタータ。　　
【請求項２】前記ブラシホルダ（１５）の後方にエンドフレーム（８）を配置し、このエンドフレーム（８）に形成された貫通穴（８ａ）を通って、前記ブラシホルダ（１５）のホルダ本体（１５Ａ）に取り付けられた金具（２７）の螺子穴（２９）にビス（２８）を螺子込み、前記エンドフレーム（８）に前記ブラシホルダ（１５）を固定することを特徴とする請求項１記載のスタータ。
【請求項３】前記ブラシ（１３）は、２個の正極ブラシ（１３Ａ）と２個の負極ブラシ（１３Ｂ）とからなり、
　それぞれ前記ブラシホルダ（１５）のホルダ部材（１５Ｂ）に収容されており、
　前記２個の正極ブラシ（１３Ａ）は、それぞれ前記ホルダ部材（１５Ｂ）から取り出されたピグテール（１３ａ）の端部が前記リード線（３３）に接続され、
　前記ブラシホルダ（１５）の後方にエンドフレーム（８）を配置し、このエンドフレーム（８）に形成された貫通穴（８ａ）を通って、前記ブラシホルダ（１５）のホルダ本体（１５Ａ）に取り付けられた金具（２７）の螺子穴（２９）にビス（２８）を螺子込み、前記エンドフレーム（８）に前記ブラシホルダ（１５）を固定することを特徴とする請求項１もしくは２に記載のスタータ。
　
（なお、特許権者が提出した上記訂正請求書には、訂正事項ａ、ｂ、ｃとして、上記のとおり「ａ.特許請求の範囲の請求項１を登録時の請求項１に請求項２を追加したものとする。ｂ.特許請求の範囲の請求項２を登録時の請求項３とする。ｃ.特許請求の範囲の請求項３を登録時の請求項４とする。」と記載されているが、本件訂正請求に係る訂正事項は、正しくは上記訂正明細書の特許請求の範囲の記載からみて、「ａ.登録時の請求項１を削除して、新しい請求項１を登録時の請求項２とする。ｂ.新しい請求項２を、登録時の請求項４のうち、登録時の請求項２を引用したものとする。ｃ.新しい請求項３を、登録時の請求項４のうち、登録時の請求項３（のうち登録時の請求項２を引用したもの）を引用したものとする。」とすべきものと認められる。）
　
（２）訂正の目的の適否、新規事項の有無、及び特許請求の範囲の拡張・変更の存否について
　上記訂正事項ａないしｃは、要するに、単に元の請求項１を削除することに伴い、元の請求項２ないし４を順次繰り上げ、その従属請求項の一部を削除して記載型式を整えたものにすぎず、新規事項の追加に該当せず、又、特許請求の範囲を実質的に拡張・変更するものでもない。
　
（３）まとめ
　したがって、上記訂正は、特許法第１２０条の４第２項及び同条第３項において準用する特許法第１２６条第２項及び同条第３項の規定に適合するので、当該訂正を認める。
　
【５】特許異議申立てについての判断
（１）本件発明
　上記のとおり本件訂正は認められるから、本件の請求項１ないし３に係る発明（以下、それぞれ「本件発明１」、「本件発明２」、「本件発明３」という。）は、上記訂正請求に係る訂正明細書の特許請求の範囲の請求項１ないし３に記載されたとおりのものである。（内容は省略する。）
　
（２）引用刊行物
（２−１）引用例１；実公平　５−２８３８２号公報（甲第１号証）
　当審が通知した取消理由において引用した上記引用例１には、自明の事項も含め、以下の発明（「引用発明１」という。）が記載されているものと認められる。
（引用発明１）
「通電を受けて回転力を発生する始動モータ、この始動モータの回転力が伝達される出力軸（出力回転軸１６）、この出力軸上を移動可能に設けられたピニオンギヤ（ピニオン２３）、前記出力軸の回転を前記ピニオンギヤに伝達する一方向クラッチ（オーバーランニングクラッチ２１）、前記始動モータの通電回路に介在された内部接点を開閉するマグネットスイッチ（可動接点３１、固定接点３２）により構成されるスタータにおいて、
　内周面に複数の永久磁石が固設されたヨーク（８）と、
　このヨークに取り付けられ、前記ヨークの内側から外側へ取り出すリード線（リードワイヤ３８）を挿通して、このリード線を前記ヨークから絶縁保持する部材と、
　前記永久磁石の内周で回転自在に支持されたアーマチャ（電機子１）と、
　このアーマチャに設けられた整流子面に摺接するブラシ（４）と、
　このブラシを保持するブラシホルダ（ブラケット６ａ）とを備えたことを特徴とするスタータ。」
　
（２−２）引用例２；実公平　５−　８７８８号公報
　同じく当審が通知した取消理由において引用した上記引用例２には、自明の事項も含め、以下の発明（「引用発明２」）が記載されているものと認められる。
（引用発明２）
「少なくとも通電を受けて回転力を発生するモータ（１）、このモータの回転力が伝達される出力軸、により構成されるモータにおいて、
　内周面に複数の永久磁石が固設されたヨーク（ステータアッシー２）と、
　このヨークに取り付けられ、前記ヨークの内側から外側へ取り出すリード線（ピグテール１０）を挿通して、このリード線を前記ヨークから絶縁保持するグロメット（１１）と、
　前記永久磁石の内周で回転自在に支持されたアーマチャ（ロータアッシー３）と、
　このアーマチャ（３）に設けられた整流子面に摺接するブラシ（刷子８）と、
　このブラシ（８）を保持するブラシホルダ（刷子ステータアッシー６）とを備え、
　前記グロメット（１１）が前記ブラシホルダ（６）に固定され、
　前記グロメット（１１）は、リヤブラケット（４）の開口端部に設けられた切り欠き部（嵌合溝４ａ）に嵌合する嵌合溝（嵌合挟持部１１ａ）が設けられ、前記グロメット（１１）を介して前記リヤブラケット（４）と前記ブラシホルダ（５）との周方向位置決めが行われていると共に、
　前記グロメット（１１）は、前記リヤブラケット（４）と前記ブラシホルダ（６）に対し、それぞれ少なくとも嵌合状態で固定されていることを特徴とするスタータ。」
　
（２−３）引用例３；特開平１１−　４５７０号公報（甲第３号証）
　同じく当審が通知した取消理由において引用した上記引用例３には、以下の発明（「引用発明３」）が記載されているものと認められる。
（引用発明）
「少なくとも通電を受けて回転力を発生する始動モータ（永久磁石界磁スタータモータ）、この始動モータの回転力が伝達される出力軸（出力シャフト）、により構成されるスタータ（スタータモータ）において、
　内周面に複数の永久磁石が固設されたヨーク（５）と、
　このヨーク（５）に取り付けられ、前記ヨークの内側から外側へ取り出すリード線（７ａ、７ｂ）を挿通して、このリード線を前記ヨークから絶縁保持するグロメット（ブッシュ７１）と、
　前記永久磁石の内周で回転自在に支持されたアーマチャ（回転電機子１）と、
　このアーマチャに設けられた整流子面に摺接するブラシ（３）と、
　このブラシを保持するブラシホルダ（ホルダープレート４）とを備え、
　前記グロメット（７１）が前記ブラシホルダ（４）に当接され、
　前記グロメット（７１）は、前記ヨーク（５）の開口端部に設けられた切り欠き部（切り欠き溝５４）に嵌合する嵌合溝が設けられ、前記切り欠き部（５４）を介して前記ヨーク（５）と前記ブラシホルダ（４）との周方向位置決めが行われていると共に、
　前記グロメット（７１）は、ゴム製で、前記ヨークに対し、圧入状態で固定されていることを特徴とするスタータ。
　
（３）本件発明１について
（３−１）対比・判断
　上記本件発明１と引用発明１とを対比すると、両者は、以下の点で相違し、その余の点で一致するものと認められる。（一致点は省略する）
（相違点）
  本件発明１は、前記グロメット（３０）が前記ブラシホルダ（１５）に固定され、前記グロメット（３０）は、前記ヨーク（７）の開口端部に設けられた切り欠き部（７ａ）に嵌合する嵌合溝（３０ｂ）が設けられ、前記グロメットを介して前記ヨークと前記ブラシホルダとの周方向位置決めが行われていると共に、前記グロメットは、ゴム製で、前記ヨークと前記ブラシホルダに対し、それぞれ圧入状態で固定されているのに対し、引用発明１は、かかる本件発明１が備える発明特定事項は備えない点。
　
　そこで、上記相違点につき以下に検討する。
　上記引用発明２（甲第２号証）には、上記のとおり、前記グロメット（１１）を介して前記リヤブラケット（４）と前記ブラシホルダ（５）との周方向位置決めが行われていると共に、前記グロメット（１１）は、前記リヤブラケット（４）と前記ブラシホルダ（６）に対し、それぞれ少なくとも嵌合状態で固定されている構成が示されている。即ち、引用発明２は、グロメットが、ヨークではなくリヤブラケット４に取り付けられており、リヤブラケット４とブラシホルダ（５）との位置決めを行うものであって、ブラシホルダ（５）とヨーク（２）との位置決めのためには別途リヤブラケット（４）とヨーク（２）との位置決めを要することは明らかであるから、少なくともこのリヤブラケット（４）を（その有底筒状部も含め）本件発明１のヨークに相当するものということはできない。
　また、グロメットをヨークに取り付けること自体は公知（若しくは周知）事項であり、したがって、また、グロメット自体の取り付けを引用発明２（甲第２号証）のリヤブラケット４から引用発明３（甲第３号証）のヨークに置換すること自体も当業者が容易になし得ることであるとしても、甲第３号証のグロメット（ブッシュ７１）はブラシホルダ（ホルダープレート４）とはあくまでも別体でヨーク５に位置決めして配置されるものであって、甲第３号証はこのようにグロメット（ブッシュ）とは別体でブラシホルダをヨークに位置決めするために、その請求項１に記載された「上記ヨークの上記ホルダープレート側端部には、上記ホルダープレートの外径φｂより以上の大きさの内周円直径φａを有する拡開部が形成され、上記ヨークの上記ホルダープレート側端部には、切り欠き溝が形成され、上記ホルダープレートには半径方向に突出する突起が形成され、上記ホルダープレートを上記拡開部の内周側に配置される」との構成をその発明の必須の要件とするものと認められるから、かかる甲第３号証の構成は、これを（本件発明１の）「前記グロメットを介して前記ヨークと前記ブラシホルダとの周方向位置決めが行われていると共に、前記グロメットは、、ゴム製で、前記ヨークと前記ブラシホルダに対し、それぞれ圧入状態で固定されている」との構成に置換して本件発明１を想到するための阻害要因となるというべきである。
　したがって、本件請求項１に係る発明が、引用発明１（甲第１号証）と引用発明２（甲第２号証）及び引用発明３（甲第３号証）を適用することにより当業者が容易になし得るものであるとはいえない。
　
（４）本件発明２、３について
（４−１）対比・判断
　本件発明２、３は、それぞれ本件発明１に発明特定事項をさらに付加してこれを限定するものであるから、同様の理由により、本件発明２、３が上記引用発明１ないし３に基づいて当業者が容易に発明をすることができたものということはできない。
　
【６】むすび
　以上のとおりであるから、特許異議申立ての理由及び証拠によっては、本件請求項１ないし３に係る特許を取り消すことができない。
　また、他に本件請求項１ないし３に係る特許を取り消すべき理由を発見しない。
　よって、結論のとおり決定する。
【異議決定日】
平成１６年１２月２８日（２００４．１２．２８）
【訂正の要旨】
審決（決定）の【理由】欄参照。
（５４）【発明の名称】
スタータ
（５７）【特許請求の範囲】
　【請求項１】　通電を受けて回転力を発生する始動モータ（２）、この始動モータの回転力が伝達される出力軸（３）、この出力軸上を移動可能に設けられたピニオンギヤ（４）、前記出力軸の回転を前記ピニオンギヤに伝達する一方向クラッチ（５）、前記始動モータの通電回路に介在された内部接点を開閉するマグネットスイッチ（６）により構成されるスタータにおいて、
　内周面に複数の永久磁石が固設されたヨーク（７）と、
　このヨークに取り付けられ、前記ヨークの内側から外側へ取り出すリード線（３３）を挿通して、このリード線を前記ヨークから絶縁保持するグロメット（３０）と、
　前記永久磁石の内周で回転自在に支持されたアーマチャ（１２）と、
　このアーマチャに設けられた整流子面に摺接するブラシ（１３）と、
　このブラシを保持するブラシホルダ（１５）とを備え、
　前記グロメット（３０）が前記ブラシホルダ（１５）に固定され、
　前記グロメット（３０）は、前記ヨーク（７）の開口端部に設けられた切り欠き部（７ａ）に嵌合する嵌合溝（３０ｂ）が設けられ、前記グロメットを介して前記ヨークと前記ブラシホルダとの周方向位置決めが行われている
と共に、
　
前記グロメットは、ゴム製で、前記ヨークと前記ブラシホルダに対し、それぞれ圧入状態で固定されている
　【請求項２】　
前記ブラシホルダ（１５）の後方にエンドフレーム（８）を配置し、このエンドフレーム（８）に形成された貫通穴（８ａ）を通って、前記ブラシホルダ（１５）のホルダ本体（１５Ａ）に取り付けられた金具（２７）の螺子穴（２９）にビス（２８）を螺子込み、前記エンドフレーム（８）に前記ブラシホルダ（１５）を固定することを特徴とする請求項１記載の
　【請求項３】　
前記ブラシ（１３）は、２個の正極ブラシ（１３Ａ）と２個の負極ブラシ（１３Ｂ）とからなり、
　
それぞれ前記ブラシホルダ（１５）のホルダ部材（１５Ｂ）に収容されており、
　
前記２個の正極ブラシ（１３Ａ）は、それぞれ前記ホルダ部材（１５Ｂ）から取り出されたピグテール（１３ａ）の端部が前記リード線（３３）に接続され、
　
前記ブラシホルダ（１５）の後方にエンドフレール（８）を配置し、このエンドフレーム（８）に形成された貫通穴（８ａ）を通って、前記ブラシホルダ（１５）のホルダ本体（１５Ａ）に取り付けられた金具（２７）の螺子穴（２９）にビス（２８）を螺子込み、前記エンドフレーム（８）に前記ブラシホルダ（１５）を固定することを特徴とする請求項１もしくは２に記載の
【発明の詳細な説明】
　【０００１】
　【発明の属する技術分野】
　本発明は、スタータに係わり、特にヨークとブラシホルダとの位置決め方法に関する。
　【０００２】
　【従来の技術】
　従来技術として、特開平７−１９４０６６号公報がある。この公報に開示されたモータは、ブラシホルダを有するホルダステーがブラケットにビス止めされ、更にヨークを形成するモータケーシングのフランジ部にブラケットを介してトルクセンサユニットをビス止めしている。
　【０００３】
　【発明が解決しようとする課題】
　ところが、トルクセンサユニットとモータケーシングとの間に介在されるブラケットには、ビスを通すための穴が開けられているが、この穴の内径がビス径よりも大きく形成されている。この場合、トルクセンサユニットとモータケーシングとの間にブラケットを挟んでビス止めした時に、ビスの外径とブラケットに形成された穴の内径との間にクリアランスが生じる。その結果、前記クリアランス分だけブラケットの周方向位置が変位する可能性があるため、ヨークとブラシホルダとの周方向の位置決めが困難であった。
　【０００４】
　また、モータケーシングとブラシホルダとが位置決めされた状態で組付けを完了しても、振動によりブラケットが前記クリアランス分だけ周方向に移動すると、モータケーシングとの相対位置が変化することで、ヨークとブラシホルダとの周方向位置がずれるという問題があった。更には、トルクセンサユニットとモータケーシングとの間にブラケットを挟んでビス止めしているので、ビス止めする際に三者の穴の位置を合わせる必要がある。この場合、三者のうちどれか一つの部品でも穴の位置がずれると組付けできなくなるため、組付けに手間が掛かるという問題もある。本発明は、上記事情に基づいて成されたもので、その目的は、ヨークとブラシホルダとの位置決めを容易に行うことができ、且つ組付け性を向上できるスタータを提供することにある。
　【０００５】
　【課題を解決するための手段】
　（請求項１の手段）
　グロメットがブラシホルダに固定され、グロメットを介してヨークとブラシホルダとの周方向位置決めが行われている。この構成では、ヨークにグロメットが取り付けられ、そのグロメットがブラシホルダに固定されることで、グロメットを介してヨークとブラシホルダとを位置決めでき、ヨークとブラシホルダとの周方向位置のずれを防止できる。
　グロメットは、ゴム製で、ヨークとブラシホルダに対し、それぞれ圧入状態で固定されている。この場合、グロメットが弾性を有するので、ヨークとブラシホルダとの間で振動によるがたつきを防止できる。また、グロメットは、型による成形品を使用することで、加工誤差を小さくできるので、グロメットの形状不良によるがたつきも防止できる。
　【０００６】
　（請求項２の手段）
　ブラシホルダの後方にエンドフレームを配置し、このエンドフレームに形成された貫通穴を通って、ブラシホルダのホルダ本体に取り付けられた金具の螺子穴にビスを螺子込み、エンドフレームにブラシホルダを固定する。
　（請求項３の手段）
　ブラシは、２個の正極ブラシと２個の負極ブラシとからなり、それぞれブラシホルダのホルダ部材に収容されている。また、２個の正極ブラシは、それぞれホルダ部材から取り出されたピグテールの端部がリード線に接続されている。
　【０００７】
　【発明の実施の形態】
　次に、本発明のスタータの実施例を説明する。図１はグロメットの組付け状態を示すスタータ後部の径方向断面図、図２はスタータの断面図である。スタータ１は、図２に示すように、通電を受けて回転力を発生する始動モータ２、この始動モータ２の回転速度を減速する減速装置（後述する）、この減速装置を介して始動モータ２の回転力が伝達される出力軸３、この出力軸３上を移動可能に設けられたピニオンギヤ４、出力軸３の回転をピニオンギヤ４に伝達する一方向クラッチ５、始動モータ２の通電回路に介在された内部接点（図示しない）を開閉するマグネットスイッチ６等より構成される。
　【０００８】
　始動モータ２は、軟鋼板を円筒形に成形したヨーク７、このヨーク７の後端開口部を塞ぐエンドフレーム８、ヨーク７の円筒内周面に固設された固定磁極９（例えば永久磁石）、シャフト１０と略直交するフェイス型整流子面１１を有するアーマチャ１２、整流子面１１に摺接するブラシ１３（１３Ａ、１３Ｂ）、このブラシ１３を整流子面１１に押圧するブラシスプリング１
　４、ブラシ１３を保持するブラシホルダ１５等より構成される。
　【０００９】
　減速装置は、アーマチャシャフト１０の外周に外歯を形成するサンギヤ１６、このサンギヤ１６の径方向外周に内歯を形成するリング状のインターナルギヤ１７、サンギヤ１６とインターナルギヤ１７との間に配されて、両ギヤ１６、１７に噛み合う遊星ギヤ１８より構成され、この遊星ギヤ１８がサンギヤ１６の外周を自転しながら公転することにより、その遊星ギヤ１８の公転がピン１９を介して出力軸３に伝達される。
　【００１０】
　出力軸３は、アーマチャ１２の前方でアーマチャシャフト１０と同軸に配され、前端部が軸受２０を介してフロントハウジング２１に支持され、後端部が軸受２２を介してインターナルギヤ１７と一体に設けられた軸受部２３に支持されている。なお、インターナルギヤ１７は、ヨーク７の内周面に嵌合して回転規制されている。ピニオンギヤ４は、出力軸３の外周に軸受２４を介して摺動自在に嵌合し、エンジン始動時に出力軸３上を前方へ移動してエンジンのリングギヤ２５に噛み合い、出力軸３の回転をリングギヤ２５に伝達する。
　【００１１】
　一方向クラッチ５は、出力軸３の外周にヘリカルスプライン嵌合して、ピニオンギヤ４と一体に出力軸３上を前後移動可能に設けられ、出力軸３の回転をピニオンギヤ４へ伝達するとともに、エンジンの始動によってピニオンギヤ４の回転速度が出力軸３の回転速度を上回ると、出力軸３とピニオンギヤ４との間で動力伝達を遮断する。マグネットスイッチ６は、内蔵するプランジャ（図示しない）の移動に伴って前記内部接点の開閉を行うとともに、レバー２６を介してピニオンギヤ４を一方向クラッチ５とともに出力軸３上を前後移動させる。
　【００１２】
　次に、本発明に係わるブラシホルダ１５周辺の構成について説明する。ブラシホルダ１５は、樹脂製のホルダ本体１５Ａと、このホルダ本体１５Ａに具備される金属製（例えばステンレス、真鍮等）のホルダ部材１５Ｂとから成る。ホルダ本体１５Ａは、図１に示すように、中央部に丸穴１５ａを有する略環状体に設けられ、丸穴１５ａの周囲にホルダ部材１５Ｂを保持するための凹部１５ｂ（図３参照／図１のＡ−Ａ断面図）が４箇所形成され、丸穴１５ａの中心を通って径方向に対向する２箇所にエンドフレーム８をビス止めするための金具２７が取り付けられている（図４参照／図１のＢ−Ｂ断面図）。なお、金具２７には、ビス２８を螺子込むための螺子穴２９が形成されている。
　【００１３】
　ホルダ本体１５Ａの外径部には、後述のグロメット３０を圧入するための圧入凹部１５ｃが設けられている。この圧入凹部１５ｃは、周方向に所定の間隔を開けて対向する両対向壁面に半円形状に窪んで設けられている（図１参照）。ホルダ部材１５Ｂは、金属板を断面角型の筒状に折り曲げて形成され、図３に示すよう
　に、ホルダ本体１５Ａの凹部１５ｂに嵌挿されて、一側面に設けられた切り起こし爪１５ｄを凹部１５ｂの内面に係合することで、凹部１５ｂからの脱落を防止している。また、ホルダ部材１５Ｂには、ブラシスプリング１４を支持する支持アーム３１が一体に設けられ、その支持アーム３１の先端がホルダ本体１５Ａに形成された溝部に係止されている。
　【００１４】
　ブラシ１３は、図１に示すように、２個の正極ブラシ１３Ａと２個の負極ブラシ１３Ｂとから成り、それぞれホルダ部材１５Ｂの内部に収容されている。２個の正極ブラシ１３Ａは、それぞれホルダ部材１５Ｂから取り出されたピグテール１３ａの端部が共通の金具３２に溶接等により接続され、その金具３２に接続されたリード線３３を介してマグネットスイッチ６の内部接点（固定接点）と電気的に接続されている。リード線３３は、ホルダ本体１５Ａの外径部に圧入されるゴム製のグロメット３０に挿通され、このグロメット３０を介してヨーク７の外側へ取り出されている。
　【００１５】
　２個の負極ブラシ１３Ｂは、それぞれホルダ部材１５Ｂから取り出されたピグテール１３ｂの端部がホルダ本体１５Ａに取り付けられた一方の金具２７ａに接続され、その金具２７ａを介してアースされている。従って、ホルダ本体１５Ａに取り付けられた一方の金具２７ａは、負極ブラシ１３Ｂのアースターミナルを兼用している。但し、他方の金具２７ｂは、一方の金具２７ａと同様の形状であるが、正極ブラシ１３Ａのピグテール１３ａが接続されている訳ではない。ブラシスプリング１４は、細長い薄板状のばね材を渦巻き状に巻回して形成され、その先端部がブラシ１３の後端面に当接してブラシ１３を整流子面１１側へ付勢している。
　【００１６】
　次に、ブラシホルダ１５周辺の組み付け行程について説明する。前記のグロメット３０は、図１に示すように、ホルダ本体１５Ａの圧入凹部１５ｃに圧入される半円形状の圧入部３０ａと、ヨーク７の開口端部に設けられたＵ字状の切り欠き部７ａ（図１参照）に嵌合する嵌合溝３０ｂとが設けられている。まず、このグロメット３０の圧入部３０ａをホルダ本体１５Ａの圧入凹部１５ｃに圧入してホルダ本体１５Ａに固定した後、そのグロメット３０の嵌合溝３０ｂをヨーク７の開口端から切り欠き部７ａに圧入状態で押し込んで取り付ける。
　【００１７】
　続いて、ブラシホルダ１５の後方にエンドフレーム８を配置し、エンドフレーム８に形成された貫通穴８ａを通って、ホルダ本体１５Ａに取り付けられた金具２７の螺子穴２９にビス２８を螺子込み、エンドフレーム８にブラシホルダ１５を固定する。その後、エンドフレーム８の後方から図示しないスルーボルトを通してフロントハウジング２１に設けられた螺子穴（図示しない）に螺子込み、フロントハウジング２１に対してヨーク７とエンドフレーム８を共締めする。
　【００１８】
　（本実施例の効果）
　本実施例の構成によれば、グロメット３０を介してヨーク７とブラシホルダ１５とを周方向に位置決めできる。この場合、グロメットをヨーク７とブラシホルダ１５（ホルダ本体１５Ａ）にそれぞれ圧入することにより、従来のビス止めする場合に生じるクリアランスが無いので、ブラシホルダ１５のがたつきを防止でき、組付け時の位置決め精度を向上できる。また、ビス止めによって位置決めする必要がないので、ヨーク７とブラシホルダ１５との位置決めを容易、且つ確実に行うことができる。更には、グロメット３０がゴム製であるため、耐振性に優れ、振動によるがたつきを防止できる。
　【００１９】
　また、エンドフレーム８を介してヨーク７とブラシホルダ１５とを位置決めする必要がないので、エンドフレーム８とブラシホルダ１５とをビス止めする際に、両者の位置決めを行う必要がない。このため、エンドフレーム８に形成する貫通穴８ａをビス径より大きい長穴にすることができる。これにより、ホルダ部材１５Ｂに取り付けられた金具２７の螺子穴２９とエンドフレーム８の貫通穴８ａとの位置を簡単に合わせることができるので、ビス止め作業を容易に行うことができる。また、エンドフレーム８の貫通穴８ａを長穴にすると、先端が円錐状に尖ったパイロット付きのビスを使用する必要がないので、コストアップを防止できる効果もある。
　【００２０】
【図面の簡単な説明】
　【図１】
　グロメットの組付け状態を示すスタータ後部の径方向断面図である。
　【図２】
　スタータの断面図である。
　【図３】
　図１のＡ−Ａ断面図である。
　【図４】
　図１のＢ−Ｂ断面図である。
　【符号の説明】
　１　　　スタータ
　２　　　始動モータ
　３　　　出力軸
　４　　　ピニオンギヤ
　５　　　一方向クラッチ
　６　　　マグネットスイッチ
　７　　　ヨーク
　７ａ　　切り欠き部
　８　　　エンドフレーム
　８ａ　　貫通穴
　９　　　固定磁極（永久磁石）
　１１　　整流子面
　１２　　アーマチャ
　１３　　ブラシ
　１３Ａ　正極ブラシ
　１３Ｂ　負極ブラシ
　１３ａ　ピグテール
　１５　　ブラシホルダ
　１５Ａ　ホルダ本体
　１５Ｂ　ホルダ部材
　２７　　金具
　２８　　ビス
　２９　　螺子穴
　３０　　グロメット
　３０ｂ　嵌合溝
　３３　　リード線